(57)【特許請求の範囲】
【請求項１】
被測定物の所定の面に対して磁界検出手段により検出された近傍磁界の水平成分及び垂直成分の強度分布に基づいて、磁界強度の極大値が存在する部分を抽出し、合成して合成分布図を生成する磁界分布図合成手段と、
該磁界分布図合成手段で生成された前記合成分布図を縦方向及び横方向に走査して、磁界の水平成分及び垂直成分の強度の前記極大値が存在する領域が配列されている状態を表す配列コードを抽出する配列コード抽出手段と、
該配列コード抽出手段で抽出された前記配列コードのうちの特定の配列コードに対して、該配列コードの要素となる複数の垂直成分の磁界の強度を比較し、その比較結果を当該配列コードに追加して検索用配列コードを生成する演算手段と、
該演算手段で生成される前記検索用配列コードに対応した電流のパターンがデータベースとして予め記憶されている記憶手段と、
前記演算手段で生成された前記検索用配列コードに基づいて前記データベースを検索し、前記合成分布図中の電流のパターンを特定する検索手段とを備えてなることを特徴とする近傍磁界測定装置。
【請求項２】
前記磁界分布図合成手段は、
前記磁界強度の極大値から該極大値より低い所定のレベルまで抽出し、磁界の水平成分及び垂直成分の強度の前記極大値が存在する領域が重なり合わないように分離して合成して前記合成分布図を生成する構成とされていることを特徴とする請求項１記載の近傍磁界測定装置。
【請求項３】
前記磁界分布図合成手段は、
前記磁界強度の極大値から該極大値より３ｄＢ低いレベルまで抽出する構成とされていることを特徴とする請求項１又は２記載の近傍磁界測定装置。
【請求項４】
前記配列コード抽出手段は、
前記合成分布図を縦方向及び横方向に走査して、磁界の水平成分及び垂直成分の強度の前記極大値が存在する領域が３箇所以上検知された場合に前記配列コードとして抽出する構成とされていることを特徴とする請求項１、２又は３記載の近傍磁界測定装置。
【請求項５】
前記演算手段は、
前記配列コード抽出手段で抽出された前記配列コードが、少なくとも２つの前記水平成分と３つの前記垂直成分とからなり、かつ前記垂直成分と前記水平成分とが交互に配列されている状態の場合、両端の前記垂直成分よりも中央の前記垂直成分の磁界の強度が強いとき、前記比較結果を、２つの前記水平成分に対応する電流が互いに逆方向の状態とする一方、両端の前記垂直成分よりも中央の前記垂直成分の磁界の強度が弱いとき、前記比較結果を、２つの前記水平成分に対応する電流が互いに同方向の状態とする構成とされていることを特徴とする請求項１、２、３又は４記載の近傍磁界測定装置。
【請求項６】
前記記憶手段は、
前記検索用配列コードに対応した電流の前記パターンとして、当該電流の位置及び向きが記憶されていることを特徴とする請求項１、２、３、４又は５記載の近傍磁界測定装置。
【請求項７】
前記検索手段は、
前記データベースを検索し、前記合成分布図中で電流の位置及び向きを特定する構成とされていることを特徴とする請求項６記載の近傍磁界測定装置。
【請求項８】
磁界分布図合成手段が、被測定物の所定の面に対して磁界検出手段により検出された近傍磁界の水平成分及び垂直成分の強度分布に基づいて、磁界強度の極大値が存在する部分を抽出し、合成して合成分布図を生成する磁界分布図合成処理と、
配列コード抽出手段が、前記磁界分布図合成手段で生成された前記合成分布図を縦方向及び横方向に走査して、磁界の水平成分及び垂直成分の強度の前記極大値が存在する領域が配列されている状態を表す配列コードを抽出する配列コード抽出処理と、
演算手段が、該配列コード抽出手段で抽出された前記配列コードのうちの特定の配列コードに対して、該配列コードの要素となる複数の垂直成分の磁界の強度を比較し、その比較結果を当該配列コードに追加して検索用配列コードを生成する演算処理と、
記憶手段が、演算手段で生成される前記検索用配列コードに対応した電流のパターンをデータベースとして予め記憶する記憶処理と、
検索手段が、前記演算手段で生成された前記検索用配列コードに基づいて前記データベースを検索し、前記合成分布図中の電流のパターンを特定する検索処理とを行うことを特徴とする電流パターン特定方法。
【請求項９】
前記磁界分布図合成処理では、
前記磁界分布図合成手段が、前記磁界強度の極大値から該極大値より低い所定のレベルまで抽出し、磁界の水平成分及び垂直成分の強度の前記極大値が存在する領域が重なり合わないように分離して合成して前記合成分布図を生成することを特徴とする請求項８記載の電流パターン特定方法。
【請求項１０】
前記磁界分布図合成処理では、
前記磁界分布図合成手段が、前記磁界強度の極大値から該極大値より３ｄＢ低いレベルまで抽出することを特徴とする請求項８又は９記載の電流パターン特定方法。
【発明の詳細な説明】
【技術分野】
【０００１】
この発明は、近傍磁界測定装置、電流パターン特定方法及び電流パターン特定プログラムに係り、特に、電子機器などから放射される不要な電磁波の発生源となるノイズ電流を特定する場合に用いて好適な近傍磁界測定装置、電流パターン特定方法及び電流パターン特定プログラムに関する。
【背景技術】
【０００２】
電子機器から放射された電磁波が他の電子機器に干渉し、放射源とは別の電子機器で誤動作が発生することがある。また、近年では、たとえば携帯電話機などの無線携帯端末において、機能の高度化や電子部品の高密度実装化により、端末内で発生した電磁波が無線回路に干渉して無線通信品質が低下する危惧のあることが指摘されている。これらの不要な電磁波（電磁妨害波）を低減する取り組みとして、電子機器開発企業などでは、近傍磁界測定装置を利用して、電子機器の筐体面や部品実装基板面などの電磁界分布を調べ、製品開発者が電磁妨害波の放射に関係するノイズ電流を推定し、回路設計の変更や、金属シールド及び磁性体シートなどの電磁妨害波低減の対策を行っている。
【０００３】
ところが、不要な電磁波が放射されている箇所を調査する場合、被測定物の近傍磁界を測定して得られる磁界強度分布に基づいて、製品開発者などが推定している。この場合、ノイズ放射箇所の特定は、開発者のスキルに負うところが大きく、不要なノイズ対策部品を追加して製品コストの増大を招いたり、分析に多大な時間がかかり、製品開発日程が遅延するなどの問題点がある。このため、電子機器から放射される不要な電磁波の発生源となるノイズ電流を特定する装置が要求されている。
【０００４】
この種の関連技術としては、たとえば、特許文献１に記載された半導体評価装置がある。
この半導体評価装置では、電磁界測定手段により、半導体の上面に平行な平面内の２次元電磁界分布が測定される。分布画像生成手段により、電磁界測定手段によって測定された半導体の電磁界分布から、あらかじめ定められた閾値よりも大きい電磁界分布が抽出される共に、当該電磁界分布が２次元平面内の分布画像に変換される。画像照合手段により、分布画像生成手段によって生成された分布画像と、あらかじめ生成された半導体の配線やリードフレームの投影画像とが照合される。放射源特定手段により、画像照合手段での照合により電磁界分布と配線やリードフレームの画像が重なる場合には、当該重なった配線又はリードフレームがノイズの放射源と特定される。
【０００５】
また、特許文献２に記載された近傍電磁界測定システムでは、回路基板から発生する近傍電磁界の分布が測定され、測定位置情報と回路パターン設計位置情報との整合をとって、回路パターン設計情報上に電磁界測定結果が表示される。そして、電磁界測定結果と回路パターン設計情報である配線あるいはプレーンのパターンとが対応付けられる。
【０００６】
また、特許文献３に記載された電流推定装置では、磁界分布測定手段により、プリント配線板上の一方向以上の磁界成分の分布が検出電流に基づいて測定される。データベースには、電流密度モデルが記憶されている。放射磁界パターン生成器により、データベースに記憶されている電流密度モデルから放射磁界パターンが生成される。電流密度モデル配列生成器により、磁界分布測定手段による検出電流とデータベースに記憶される電流密度モデルとから、プリント配線板上の面内の電流密度モデルの配列が生成される。電流密度計算器により、電流密度モデル配列生成器により生成された電流密度モデルの配列と放射磁界パターン生成器により生成された放射磁界パターンとを用いて電流密度分布が求められる。
【先行技術文献】
【特許文献】
【０００７】
【特許文献１】特開２０００−０７４９６９号公報
【特許文献２】特開２００４−１９８２３２号公報
【特許文献３】特開平１１−０１４６７１号公報
【発明の概要】
【発明が解決しようとする課題】
【０００８】
しかしながら、上記関連技術では、次のような課題があった。
すなわち、特許文献１に記載された半導体評価装置では、半導体の放射ノイズが正確に測定されるが、この発明とは構成や処理方法が異なる。
【０００９】
特許文献２に記載された近傍電磁界測定システムでは、高速に高密度実装時のノイズ源の特定が行われるが、この発明とは構成や処理方法が異なる。
【００１０】
特許文献３に記載された電流推定装置では、プリント配線板上を流れる電流の分布が高い信頼性で求められるが、この発明とは構成や処理方法が異なる。
【００１１】
この発明は、上述の事情に鑑みてなされたもので、電子機器などから放射される不要な電磁波の発生源となるノイズ電流を特定する近傍磁界測定装置、該装置に用いられる電流パターン特定方法及び電流パターン特定プログラムを提供することを目的としている。
【課題を解決するための手段】
【００１２】
上記課題を解決するために、この発明の第１の構成は、近傍磁界測定装置に係り、被測定物の所定の面に対して磁界検出手段により検出された近傍磁界の水平成分及び垂直成分の強度分布に基づいて、磁界強度の極大値が存在する部分を抽出し、合成して合成分布図を生成する磁界分布図合成手段と、該磁界分布図合成手段で生成された前記合成分布図を縦方向及び横方向に走査して、磁界の水平成分及び垂直成分の強度の前記極大値が存在する領域が配列されている状態を表す配列コードを抽出する配列コード抽出手段と、該配列コード抽出手段で抽出された前記配列コードのうちの特定の配列コードに対して、該配列コードの要素となる複数の垂直成分の磁界の強度を比較し、その比較結果を当該配列コードに追加して検索用配列コードを生成する演算手段と、該演算手段で生成される前記検索用配列コードに対応した電流のパターンがデータベースとして予め記憶されている記憶手段と、前記演算手段で生成された前記検索用配列コードに基づいて前記データベースを検索し、前記合成分布図中の電流のパターンを特定する検索手段とを備えてなることを特徴としている。
【００１３】
この発明の第２の構成は、電流パターン特定方法に係り、磁界分布図合成手段が、被測定物の所定の面に対して磁界検出手段により検出された近傍磁界の水平成分及び垂直成分の強度分布に基づいて、磁界強度の極大値が存在する部分を抽出し、合成して合成分布図を生成する磁界分布図合成処理と、配列コード抽出手段が、前記磁界分布図合成手段で生成された前記合成分布図を縦方向及び横方向に走査して、磁界の水平成分及び垂直成分の強度の前記極大値が存在する領域が配列されている状態を表す配列コードを抽出する配列コード抽出処理と、演算手段が、該配列コード抽出手段で抽出された前記配列コードのうちの特定の配列コードに対して、該配列コードの要素となる複数の垂直成分の磁界の強度を比較し、その比較結果を当該配列コードに追加して検索用配列コードを生成する演算処理と、記憶手段が、演算手段で生成される前記検索用配列コードに対応した電流のパターンをデータベースとして予め記憶する記憶処理と、検索手段が、前記演算手段で生成された前記検索用配列コードに基づいて前記データベースを検索し、前記合成分布図中の電流のパターンを特定する検索処理とを行うことを特徴としている。
【発明の効果】
【００１４】
この発明の構成によれば、被測定物の電流のパターンを特定する近傍磁界測定装置を実現することができる。
【図面の簡単な説明】
【００１５】
【図１】この発明の一実施形態である近傍磁界測定装置の要部の構成を示すブロック図である。
【図２】図１中の入力装置１から磁界分布図合成部１１に入力される近傍磁界の水平成分及び垂直成分の概念を示す図である。
【図３】図１の近傍磁界測定装置の動作を説明するフローチャートである。
【図４】部品実装基板の配線に電流が流れている場合の近傍磁界強度分布の例を説明する図である。
【図５】磁界分布図合成部１１で行われる処理を説明する図である。
【図６】配列コード抽出部１２で行われる処理を説明する図である。
【図７】記憶装置２１に記憶されているデータベースの例を示す図である。
【図８】記憶装置２１に記憶されているデータベースの例を示す図である。
【発明を実施するための形態】
【００１６】
上記磁界分布図合成手段（磁界分布図合成部）は、上記磁界強度の極大値から同極大値より低い所定のレベルまで抽出し、磁界の水平成分及び垂直成分の強度の上記極大値が存在する領域が重なり合わないように分離して合成して上記合成分布図を生成する構成とされている近傍磁界測定装置を実現する。
【００１７】
また、上記磁界分布図合成手段（磁界分布図合成部）は、上記磁界強度の極大値から同極大値より３ｄＢ低いレベルまで抽出する構成とされている。上記配列コード抽出手段（配列コード抽出部）は、上記合成分布図を縦方向及び横方向に走査して、磁界の水平成分及び垂直成分の強度の上記極大値が存在する領域が３箇所以上検知された場合に上記配列コードとして抽出する構成とされている。上記演算手段（演算部）は、上記配列コード抽出手段（配列コード抽出部）で抽出された上記配列コードが、少なくとも２つの上記水平成分と３つの上記垂直成分とからなり、かつ上記垂直成分と上記水平成分とが交互に配列されている状態の場合、両端の上記垂直成分よりも中央の上記垂直成分の磁界の強度が強いとき、上記比較結果を、２つの上記水平成分に対応する電流が互いに逆方向の状態とする一方、両端の上記垂直成分よりも中央の上記垂直成分の磁界の強度が弱いとき、上記比較結果を、２つの上記水平成分に対応する電流が互いに同方向の状態とする構成とされている。上記記憶手段（記憶装置）は、上記検索用配列コードに対応した電流の上記パターンとして、当該電流の位置及び向きが記憶されている。上記検索手段（検索部）は、上記データベースを検索し、上記合成分布図中で電流の位置及び向きを特定する構成とされている。
【実施形態】
【００１８】
図１は、この発明の一実施形態である近傍磁界測定装置の要部の構成を示すブロック図である。
この形態の近傍磁界測定装置は、同図に示すように、入力装置１と、解析システム１０と、記憶装置２１と、出力装置２２とから構成されている。入力装置１は、たとえば、フロッピー（登録商標）ディスクドライブなどのデータ読取り装置やコンピュータのキーボードなどであり、被測定物の所定の面（たとえば、電子機器の筐体面や部品実装基板面など）に対して図示しない磁界プローブ（磁界検出手段）により検出された近傍磁界の水平成分及び垂直成分の強度分布を入力するためのものである。
【００１９】
解析システム１０は、電流パターン特定プログラムに基づいて機能するコンピュータで構成され、磁界分布図合成部１１と、配列コード抽出部１２と、演算部１３と、検索部１４とから構成されている。磁界分布図合成部１１は、入力装置１から入力された近傍磁界の水平成分及び垂直成分の強度分布に基づいて、磁界強度の極大値が存在する部分を抽出し、合成して合成分布図を生成する。特に、この実施形態では、磁界分布図合成部１１は、上記磁界強度の極大値から同極大値より低いレベル（たとえば、３ｄＢ低いレベル）まで抽出し、磁界の水平成分及び垂直成分の強度の同極大値が存在する領域が重なり合わないように分離して合成して合成分布図を生成する。配列コード抽出部１２は、磁界分布図合成部１１で生成された合成分布図を縦方向及び横方向に走査して、磁界の水平成分及び垂直成分の強度の極大値が存在する領域が配列されている状態を表す配列コードを抽出する。特に、この実施形態では、配列コード抽出部１２は、上記合成分布図を縦方向及び横方向に走査して、磁界の水平成分及び垂直成分の強度の極大値が存在する領域が３箇所以上検知された場合に上記配列コードとして抽出する。
【００２０】
演算部１３は、配列コード抽出部１２で抽出された配列コードのうちの特定の配列コードに対して、同配列コードの要素となる複数の垂直成分の磁界の強度を比較し、その比較結果を当該配列コードに追加して検索用配列コードを生成する。特に、この実施形態では、演算部１３は、配列コード抽出部１２で抽出された配列コードが、たとえば２つの水平成分と３つの垂直成分とからなり、かつ垂直成分と水平成分とが交互に配列されている状態の場合、両端の垂直成分よりも中央の垂直成分の磁界の強度が強いとき、上記比較結果を、２つの水平成分に対応する電流が互いに逆方向の状態とする一方、両端の垂直成分よりも中央の垂直成分の磁界の強度が弱いとき、上記比較結果を、２つの水平成分に対応する電流が互いに同方向の状態とする。
【００２１】
記憶装置２１は、たとえば、外部記憶媒体やハードディスクなどで構成され、演算部１３で生成される上記検索用配列コードに対応した電流のパターンがデータベースとして予め記憶されている。特に、この実施形態では、記憶装置２１は、電流のパターンとして、当該電流の位置及び向きが記憶されている。検索部１４は、演算部１３で生成された検索用配列コードに基づいて記憶装置２１のデータベースを検索し、上記合成分布図中の電流のパターン（電流の位置及び向き）を特定する。出力装置２２は、たとえば液晶ディスプレイなどで構成され、検索部１４で特定された電流の位置及び向きを表示する。
【００２２】
図２は、図１中の入力装置１から磁界分布図合成部１１に入力される近傍磁界の水平成分及び垂直成分の概念を示す図である。
図２に示すように、電子機器３１などの被測定物の筐体面や部品実装基板面に対して、磁界プローブ３２（磁界検出手段）により近傍磁界が検出され、同近傍磁界は、同被測定物に対して水平方向にＸ，Ｙ軸、及び垂直方向にＺ軸がとられたとき、水平成分Ｈｘ，Ｈｙ及び垂直成分Ｈｚから構成される。
【００２３】
図３は、図１の近傍磁界測定装置の動作を説明するフローチャート、図４は、部品実装基板の配線に電流が流れている場合の近傍磁界強度分布の例を説明する図、図５は、磁界分布図合成部１１で行われる処理を説明する図、図６は、配列コード抽出部１２で行われる処理を説明する図、図７は、記憶装置２１に記憶されているデータベースの例を示す図、及び図８が、記憶装置２１に記憶されているデータベースの例を示す図である。
これらの図を参照して、この形態の近傍磁界測定装置に用いられる電流パターン特定方法処理内容について説明する。
この近傍磁界測定装置では、磁界分布図合成部１１により、入力装置１から入力された近傍磁界の水平成分及び垂直成分の強度分布に基づいて、磁界強度の極大値が存在する部分が抽出され、合成されて合成分布図が生成される（磁界分布図合成処理）。この磁界分布図合成処理では、磁界分布図合成部１１により、磁界強度の極大値から同極大値より３ｄＢ低いレベルまで抽出され、磁界の水平成分及び垂直成分の強度の極大値が存在する領域が重なり合わないように分離して合成されて合成分布図が生成される。
【００２４】
配列コード抽出部１２により、磁界分布図合成部１１で生成された合成分布図が縦方向及び横方向に走査され、磁界の水平成分及び垂直成分の強度の極大値が存在する領域が配列されている状態を表す配列コードが抽出される（配列コード抽出処理）。この配列コード抽出処理では、配列コード抽出部１２により、合成分布図が縦方向及び横方向に走査され、磁界の水平成分及び垂直成分の強度の極大値が存在する領域が３箇所以上検知された場合に配列コードとして抽出される。演算部１３により、配列コード抽出部１２で抽出された配列コードのうちの特定の配列コードに対して、同配列コードの要素となる複数の垂直成分の磁界の強度が比較され、その比較結果が当該配列コードに追加されて検索用配列コードが生成される（演算処理）。
【００２５】
この演算処理では、配列コード抽出部１２で抽出された配列コードが、たとえば２つの水平成分と３つの垂直成分とからなり、かつ垂直成分と水平成分とが交互に配列されている状態の場合、演算部１３により、両端の垂直成分よりも中央の垂直成分の磁界の強度が強いとき、上記比較結果が、２つの水平成分に対応する電流が互いに逆方向の状態とされる一方、両端の垂直成分よりも中央の垂直成分の磁界の強度が弱いとき、上記比較結果が、２つの水平成分に対応する電流が互いに同方向の状態とされる。記憶装置２１では、演算部１３で生成される検索用配列コードに対応した電流のパターンが予め記憶されている（記憶処理）。この記憶処理では、記憶装置２１により、上記検索用配列コードに対応した電流のパターンとして、当該電流の位置及び向きが記憶される。検索部１４により、演算部１３で生成された検索用配列コードに基づいて記憶装置２１のデータベースが検索され、合成分布図中の電流のパターン（電流の位置及び向き）が特定される（検索処理）。
【００２６】
すなわち、図３に示すように、電子機器の筐体面や部品実装基板面などに対して磁界プローブ３２により検出された近傍磁界の水平成分Ｈｘ，Ｈｙ及び垂直成分Ｈｚの強度分布データが解析システム１０に入力される（ステップＡ１）。磁界分布図合成部１１では、入力された磁界の水平成分Ｈｘ及び垂直成分Ｈｚの強度分布データを用いて、同水平成分Ｈｘと垂直成分Ｈｚとの合成分布図が生成される（ステップＡ２）。すなわち、図４（ａ）（配線断面図）に示すように、部品実装基板の配線に電流が流れている場合、ｙ方向に電流が流れている場合では、右ネジの回る向きに磁界が発生し、ｘ方向の磁界成分Ｈｘは、図４（ｂ）（Ｈｘ分布図）に示すように、配線に沿ったｙ方向に磁界強度の大きい領域が現れる。
【００２７】
また、配線基板に垂直な方向の垂直成分Ｈｚは、図４（ｃ）（Ｈｚ分布図）に示すように、配線の両側に磁界強度の大きい領域のある分布となる。図４（ｄ）では、図４（ｂ）及び図４（ｃ）中のＡ−Ａｂ線上の磁界強度がプロットされている。これらのデータを基に水平成分Ｈｘと垂直成分Ｈｚとの合成分布図を作成すると、図４（ｅ）に示すように、水平成分Ｈｘと垂直成分Ｈｚとが重複する領域が存在する。この重複する領域が存在すると、配列コード抽出部１２による処理に都合が悪い。このため、磁界分布図合成部１１では、水平成分Ｈｘと垂直成分Ｈｚとの分布が重ならないような処理が行われる。
【００２８】
この場合、図５（ａ）に示すように、図４（ｄ）中の水平成分Ｈｘ及び垂直成分Ｈｚの磁界強度データが示される。図５（ｂ）では、図５（ａ）の磁界強度データにおいて、磁界強度｜Ｈ｜が極大値から同極大値より３ｄＢ低いレベルまでのデータが抽出されて示されている。このように、データの一部を抽出することで、水平成分Ｈｘと垂直成分Ｈｚとの重複が回避される。なお、極大値は、磁界強度データの位置ｘに関しての微分がゼロとなる条件から求めることができる。このような処理を全データに対して行うことにより、図５（ｃ）に示すように、重複のない水平成分Ｈｘと垂直成分Ｈｚとの合成分布図が生成される。なお、図５（ｃ）では、磁界強度の大きい領域がグラデーション（gradation）表示されている。
【００２９】
つづいて、図３に示すように、配列コード抽出部１２により、合成分布図から配列コードが抽出される（ステップＡ３）。この場合、図６（ａ）に示すように、水平成分Ｈｘと垂直成分Ｈｚとの磁界強度分布を合成した合成分布図に対して、走査線ｓｌ１から走査線ｓｌ７まで等間隔にｘ方向に走査を行い、コードａ，ｂ，ｃなど、３箇所以上の磁界強度の大きな領域が検知された場合に、配列コードとする。磁界強度の大きな領域を検知する箇所は、たとえば５箇所までとし、配列コードは、コードａ〜ｅの５つの要素を用いて配列コード（ａ，ｂ，ｃ，ｄ，ｅ）とする。図６（ａ）では、走査線ｓｌ２〜走査線ｓｌ６のラインで配列コードが得られる。コードａ，ｂ，ｃは、それぞれ垂直成分Ｈｚ、水平成分Ｈｘ、及び垂直成分Ｈｚの磁界強度の大きい領域に対応するため、配列コード（ａ，ｂ，ｃ，ｄ，ｅ）は、配列コード（Ｚ，Ｘ，Ｚ，０，０）として抽出される。検知される磁界強度の大きい領域が５箇所よりも少ない場合は、残りの要素はゼロ（“０”）とする。この例では、検知される箇所が３箇所であるため、コードｄ，ｅが共に“０”となる。
【００３０】
演算部１３では、配列コード抽出部１２で抽出された配列コードが（Ｚ，Ｘ，Ｚ，Ｘ，Ｚ）の場合、要素ａ，ｅと要素ｃの磁界強度が比較され、配列コードが追加されて（ａ，ｂ，ｃ，ｄ，ｅ，Ｐ）とする（ステップＡ４）。すなわち、配列コードが（ａ，ｂ，ｃ，ｄ，ｅ）＝（Ｚ，Ｘ，Ｚ，Ｘ，Ｚ）となっているか否かが判定され、合致している場合は要素ａ，ｅと要素ｃとの磁界強度が比較される。この処理は、配列コードが（Ｚ，Ｘ，Ｚ，Ｘ，Ｚ）となる磁界合成分布図が２通りあり、区別を行うために行われる。配列コードが（ａ，ｂ，ｃ，ｄ，ｅ）≠（Ｚ，Ｘ，Ｚ，Ｘ，Ｚ）のときは、配列コードに要素Ｐが追加されて（ａ，ｂ，ｃ，ｄ，ｅ，Ｐ）としてＰに“０”が代入されて（ａ，ｂ，ｃ，ｄ，ｅ，０）となる。
【００３１】
たとえば、演算部１３に入力された配列コードが（Ｚ，Ｘ，Ｘ，Ｚ，０）の場合、（Ｚ，Ｘ，Ｘ，Ｚ，０，０）となる。配列コードが（ａ，ｂ，ｃ，ｄ，ｅ）＝（Ｚ，Ｘ，Ｚ，Ｘ，Ｚ）で、要素ａ，ｅの垂直成分Ｈｚよりも要素ｃの垂直成分Ｈｚの磁界強度が大きい場合は、要素Ｐに“１”が代入されて（Ｚ，Ｘ，Ｚ，Ｘ，Ｚ，１）となる。要素ｃよりも要素ａ，ｅの垂直成分Ｈｚの方が大きい場合は、要素Ｐに“０”が代入されて（Ｚ，Ｘ，Ｚ，Ｘ，Ｚ，０）となる。このように、演算部１３により、要素Ｐを追加した配列コード（ａ，ｂ，ｃ，ｄ，ｅ，Ｐ）が生成される。
【００３２】
つづいて、検索部１４により、記憶装置２１のデータベースで配列コード（ａ，ｂ，ｃ，ｄ，ｅ，Ｐ）が検索され、ノイズ電流パターンが特定される（ステップＡ５）。データベースは、たとえば図７に示すように、パターン１Ｘ，２Ｘ，３Ｘ，４Ｘからなる４つの配列コードがあり、それぞれの配列コードに対応する電流の位置及び向きが示されている。また、水平成分Ｈｘと垂直成分Ｈｚとの合成分布図、及び垂直成分Ｈｚの強度についての情報も示されている。たとえば、配列コード（ａ，ｂ，ｃ，ｄ，ｅ，Ｐ）＝（Ｚ，Ｘ，Ｚ，Ｘ，Ｚ，１）は、図７中のパターン１Ｘでは、水平成分Ｈｘと垂直成分Ｈｚとの合成分布図において、磁界強度の大きい領域が、Ｘ方向に順次、垂直成分Ｈｚ、水平成分Ｈｘ、垂直成分Ｈｚ、水平成分Ｈｘ、及び垂直成分Ｈｚが配列されている。また、要素Ｐ＝１なので、垂直成分Ｈｚの強度については、要素ａ，ｅよりも要素ｃの垂直成分Ｈｚの磁界強度の方が大きい。このような磁界分布を作る電流の位置及び向きは、水平成分Ｈｘと垂直成分Ｈｚとの合成分布図において、要素ｂ及び要素ｄに対応する水平成分Ｈｘ領域の直下の位置に流れ、要素ｂと要素ｄとでは、電流が逆方向となる。
【００３３】
また、配列コード（ａ，ｂ，ｃ，ｄ，ｅ，Ｐ）＝（Ｚ，Ｘ，Ｘ，Ｚ，０，０）は、図７中のパターン２Ｘでは、水平成分Ｈｘと垂直成分Ｈｚとの合成分布図において、磁界強度の大きい領域が、Ｘ方向に順次、垂直成分Ｈｚ、水平成分Ｈｘ、水平成分Ｈｘ、及び垂直成分Ｈｚが配列されている。このような磁界分布を作る電流の位置と向きは、水平成分Ｈｘと垂直成分Ｈｚとの合成分布図において、要素ｂ及び要素ｃに対応する水平成分Ｈｘの領域の直下の位置に流れ、要素ｂと要素ｃとでは、電流は同方向で大きさが等しい。
【００３４】
また、配列コード（ａ，ｂ，ｃ，ｄ，ｅ，Ｐ）＝（Ｚ，Ｘ，Ｚ，Ｘ，Ｚ，０）は、図７中のパターン３Ｘでは、水平成分Ｈｘと垂直成分Ｈｚとの合成分布図において、磁界強度の大きい領域が、Ｘ方向に順次、垂直成分Ｈｚ、水平成分Ｈｘ、垂直成分Ｈｚ、水平成分Ｈｘ、及び垂直成分Ｈｚが配列され、上記パターン１Ｘと同様の配列となる。ただし、垂直成分Ｈｚの強度は、要素ａ，ｅよりも要素ｃの方が小さい。このような磁界分布を作る電流の位置と向きは、水平成分Ｈｘと垂直成分Ｈｚとの合成分布図において、要素ｂ及び要素ｄに対応する水平成分Ｈｘの領域の直下の位置に流れ、要素ｂと要素ｄとでは、電流は同方向で、大きさが異なる。
【００３５】
また、配列コード（ａ，ｂ，ｃ，ｄ，ｅ，Ｐ）＝（Ｚ，Ｘ，Ｚ，０，０，０）は、図７中のパターン４Ｘでは、水平成分Ｈｘと垂直成分Ｈｚとの合成分布図において、磁界強度の大きい領域が、Ｘ方向に順次、垂直成分Ｈｚ、水平成分Ｈｘ、及び垂直成分Ｈｚが配列されている。このような磁界分布を作る電流の位置と向きは、水平成分Ｈｘと垂直成分Ｈｚとの合成分布図において、要素ｂに対応する水平成分Ｈｘの領域の直下の位置に流れる。
このように、検索部１４により記憶装置２１のデータベースを検索することにより、配列コードから磁界を作る電流の流れる位置や方向など、ノイズ電流のパターンが特定される。
【００３６】
また、磁界分布図合成部１１では、入力された磁界の水平成分Ｈｙ及び垂直成分Ｈｚの強度分布データを用いて、上記水平成分Ｈｘの場合と同様に、データの極大値から、たとえば３ｄＢ低いレベルまでを抽出したデータから、水平成分Ｈｙと垂直成分Ｈｚとの合成分布図が生成される（ステップＢ２）。つづいて、図３に示すように、配列コード抽出部１２により、合成分布図から配列コードが抽出される（ステップＢ３）。この場合、図６（ｂ）に示すように、水平成分Ｈｙと垂直成分Ｈｚとの磁界強度分布を合成した合成分布図に対して、走査線ｍｌ１から走査線ｍｌ７まで等間隔にｙ方向に走査を行い、コードａ，ｂ，ｃなど、３箇所以上の磁界強度の大きな領域が検知された場合に配列コードとする。磁界強度の大きな領域を検知する箇所は、たとえば５箇所までとし、配列コードは、コードａ〜ｅの５つの要素を用いて配列コード（ａ，ｂ，ｃ，ｄ，ｅ）とする。図６（ｂ）では、走査線ｍｌ２から走査線ｍｌ６のラインで配列コードが得られる。コードａ，ｂ，ｃは、それぞれ垂直成分Ｈｚ、水平成分Ｈｙ、及び垂直成分Ｈｚの磁界強度の大きい領域に対応するため、配列コード（ａ，ｂ，ｃ，ｄ，ｅ）は、配列コード（Ｚ，Ｙ，Ｚ，０，０）として抽出される。検知される磁界強度の大きな領域が５箇所よりも少ない場合は、残りの要素はゼロ（“０”）とする。この例では、検知される箇所が３箇所であるため、コードｄ，ｅが共に“０”となる。
【００３７】
演算部１３では、配列コード抽出部１２で抽出された配列コード（Ｚ，Ｙ，Ｚ，Ｙ，Ｚ）の場合、要素ａ，ｅと要素ｃの磁界強度を比較し、配列コードを追加して（ａ，ｂ，ｃ，ｄ，ｅ，Ｐ）とする（ステップＢ４）。すなわち、配列コードが（ａ，ｂ，ｃ，ｄ，ｅ）＝（Ｚ，Ｙ，Ｚ，Ｙ，Ｚ）となっているか否かが判定され、合致している場合は、要素ａ，ｅと要素ｃとの磁界強度が比較される。配列コードが（ａ，ｂ，ｃ，ｄ，ｅ）≠（Ｚ，Ｙ，Ｚ，Ｙ，Ｚ）のときは、配列コードに要素Ｐが追加されて（ａ，ｂ，ｃ，ｄ，ｅ，Ｐ）として要素Ｐに“０”が代入されて（ａ，ｂ，ｃ，ｄ，ｅ，０）となる。
【００３８】
たとえば、演算部１３に入力された配列コードが（Ｚ，Ｙ，Ｙ，Ｚ，０）の場合、（Ｚ，Ｙ，Ｙ，Ｚ，０，０）となる。配列コードが（ａ，ｂ，ｃ，ｄ，ｅ）＝（Ｚ，Ｙ，Ｚ，Ｙ，Ｚ）で、要素ａ，ｅの垂直成分Ｈｚよりも要素ｃの垂直成分Ｈｚの磁界強度が大きい場合は、要素Ｐに“１”が代入されて（Ｚ，Ｙ，Ｚ，Ｙ，Ｚ，１）となる。要素ｃよりも要素ａ，ｅの垂直成分Ｈｚの方が大きい場合は、要素Ｐに“０”が代入されて（Ｚ，Ｙ，Ｚ，Ｙ，Ｚ，０）となる。このように、演算部１３により、要素Ｐを追加した配列コード（ａ，ｂ，ｃ，ｄ，ｅ，Ｐ）が生成される。
【００３９】
つづいて、検索部１４により、記憶装置２１のデータベースで配列コード（ａ，ｂ，ｃ，ｄ，ｅ，Ｐ）が検索され、ノイズ電流パターンが特定される（ステップＢ５）。データベースは、たとえば図８に示すように、パターン１Ｙ，２Ｙ，３Ｙ，４Ｙからなる４つの配列コードがあり、それぞれの配列コードに対応する電流の位置及び向きが示されている。また、水平成分Ｈｙと垂直成分Ｈｚとの合成分布図、及び垂直成分Ｈｚの強度についての情報も示されている。たとえば、配列コード（ａ，ｂ，ｃ，ｄ，ｅ，Ｐ）＝（Ｚ，Ｙ，Ｚ，Ｙ，Ｚ，１）は、図８中のパターン１Ｙでは、水平成分Ｈｙと垂直成分Ｈｚとの合成分布図において、磁界強度の大きい領域が、Ｙ方向に順次、垂直成分Ｈｚ、水平成分Ｈｙ、垂直成分Ｈｚ、水平成分Ｈｙ、及び垂直成分Ｈｚが配列されている。また、要素Ｐ＝１なので、垂直成分Ｈｚの強度については、要素ａ，ｅよりも要素ｃの垂直成分Ｈｚの磁界強度の方が大きい。このような磁界分布を作る電流の位置及び向きは、水平成分Ｈｙと垂直成分Ｈｚとの合成分布図において、要素ｂ及び要素ｄに対応する水平成分Ｈｙ領域の直下の位置に流れ、要素ｂと要素ｄでは、電流が逆方向となる。
【００４０】
また、配列コード（ａ，ｂ，ｃ，ｄ，ｅ，Ｐ）＝（Ｚ，Ｙ，Ｙ，Ｚ，０，０）は、図８中のパターン２Ｙでは、水平成分Ｈｙと垂直成分Ｈｚとの合成分布図において、磁界強度の大きい領域が、Ｙ方向に順次、垂直成分Ｈｚ、水平成分Ｈｙ、水平成分Ｈｙ、及び垂直成分Ｈｚが配列されている。このような磁界分布を作る電流の位置と向きは、水平成分Ｈｙと垂直成分Ｈｚとの合成分布図において、要素ｂ及び要素ｃに対応する水平成分Ｈｙの領域の直下の位置に流れ、要素ｂと要素ｃとでは、電流は同方向で大きさが等しい。
【００４１】
また、配列コード（ａ，ｂ，ｃ，ｄ，ｅ，Ｐ）＝（Ｚ，Ｙ，Ｚ，Ｙ，Ｚ，０）は、図８中のパターン３Ｙでは、水平成分Ｈｙと垂直成分Ｈｚとの合成分布図において、磁界強度の大きい領域が、Ｙ方向に順次、垂直成分Ｈｚ、水平成分Ｈｙ、垂直成分Ｈｚ、水平成分Ｈｙ、及び垂直成分Ｈｚが配列され、上記パターン１Ｙと同様の配列となる。ただし、垂直成分Ｈｚの強度は、要素ａ，ｅよりも要素ｃの方が小さい。このような磁界分布を作る電流の位置と向きは、水平成分Ｈｙと垂直成分Ｈｚとの合成分布図において、要素ｂ及び要素ｄに対応する水平成分Ｈｙの領域の直下の位置に流れ、要素ｂと要素ｄとでは、電流は同方向で、大きさが異なる。
【００４２】
また、配列コード（ａ，ｂ，ｃ，ｄ，ｅ，Ｐ）＝（Ｚ，Ｙ，Ｚ，０，０，０）は、図８中のパターン４Ｙでは、水平成分Ｈｙと垂直成分Ｈｚとの合成分布図において、磁界強度の大きい領域が、Ｙ方向に順次、垂直成分Ｈｚ、水平成分Ｈｙ、及び垂直成分Ｈｚが配列されている。このような磁界分布を作る電流の位置と向きは、水平成分Ｈｙと垂直成分Ｈｚとの合成分布図において、要素ｂに対応する水平成分Ｈｙの領域の直下の位置に流れる。
このように、検索部１４により記憶装置２１のデータベースを検索することにより、配列コードから磁界を作る電流の流れる位置や方向など、ノイズ電流のパターンが特定される。そして、図３中のステップＡ５及びステップＢ５で得られたノイズ電流の位置や向きに対応する情報が出力装置２２に送出され、合成分布図又は磁界分布測定範囲に相当する被測定物の写真や図面上に、同情報に対応する矢印などが重ね合わせて表示される（ステップＡ６）。
【００４３】
以上のように、この実施形態では、磁界分布図合成部１１により、磁界の水平成分及び垂直成分の強度の極大値が存在する領域が重なり合わないように分離して合成されて合成分布図が生成され、配列コード抽出部１２により、合成分布図が縦方向及び横方向に走査され、磁界の水平成分及び垂直成分の強度の極大値が存在する領域が配列されている状態を表す配列コードが抽出される。演算部１３により、配列コード抽出部１２で抽出された配列コードのうちの特定の配列コードに対して、同配列コードの要素となる複数の垂直成分の磁界の強度が比較され、その比較結果が当該配列コードに追加されて検索用配列コードが生成される。検索部１４により、演算部１３で生成された検索用配列コードに基づいて記憶装置２１のデータベースが検索され、合成分布図中の電流のパターン（電流の位置及び向き）が特定される。これにより、電子機器などから放射される不要な電磁波の発生源となるノイズ電流が特定される。
【００４４】
また、ノイズ電流の位置と向きが特定されることにより、電磁妨害波が放射されるメカニズムの推定や何れの回路の設計を見直せば良いか、また、電磁妨害波の低減のための金属シールドや磁性体シートを何れの箇所に適用すれば良いかがわかる。しかも、自動的にノイズ電流の位置と向きが特定可能であるため、製品開発の効率化と製品コストの低減が実現される。また、上記演算部１３により生成される検索用配列コードは、複数の垂直成分の磁界の強度の比較結果が含まれているので、この比較結果がない場合に対して、電流の流れる向きや大きさなどの電流パターンの異なる磁界分布が同一の配列コードで表わされるという不都合が回避される。
【００４５】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、上記実施形態では、磁界分布図合成部１１により、磁界強度の極大値から同極大値より３ｄＢ低いレベルまで抽出されるが、３ｄＢに限定されない。また、配列コード抽出部１２により磁界強度の大きな領域を検知する箇所は、５箇所に限定されない。
【００４６】
上記の実施形態の一部又は全部は、以下の付記のようにも記載されうるが、以下には限定されない。
【００４７】
（付記１）被測定物の所定の面に対して磁界検出手段により検出された近傍磁界の水平成分及び垂直成分の強度分布に基づいて、磁界強度の極大値が存在する部分を抽出し、合成して合成分布図を生成する磁界分布図合成手段と、該磁界分布図合成手段で生成された前記合成分布図を縦方向及び横方向に走査して、磁界の水平成分及び垂直成分の強度の前記極大値が存在する領域が配列されている状態を表す配列コードを抽出する配列コード抽出手段と、該配列コード抽出手段で抽出された前記配列コードのうちの特定の配列コードに対して、該配列コードの要素となる複数の垂直成分の磁界の強度を比較し、その比較結果を当該配列コードに追加して検索用配列コードを生成する演算手段と、該演算手段で生成される前記検索用配列コードに対応した電流のパターンがデータベースとして予め記憶されている記憶手段と、前記演算手段で生成された前記検索用配列コードに基づいて前記データベースを検索し、前記合成分布図中の電流のパターンを特定する検索手段とを備えてなる近傍磁界測定装置。
【００４８】
（付記２）前記磁界分布図合成手段は、前記磁界強度の極大値から該極大値より低い所定のレベルまで抽出し、磁界の水平成分及び垂直成分の強度の前記極大値が存在する領域が重なり合わないように分離して合成して前記合成分布図を生成する構成とされている付記１記載の近傍磁界測定装置。
【００４９】
（付記３）前記磁界分布図合成手段は、前記磁界強度の極大値から該極大値より３ｄＢ低いレベルまで抽出する構成とされている付記１又は２記載の近傍磁界測定装置。
【００５０】
（付記４）前記配列コード抽出手段は、前記合成分布図を縦方向及び横方向に走査して、磁界の水平成分及び垂直成分の強度の前記極大値が存在する領域が３箇所以上検知された場合に前記配列コードとして抽出する構成とされている付記１、２又は３記載の近傍磁界測定装置。
【００５１】
（付記５）前記演算手段は、前記配列コード抽出手段で抽出された前記配列コードが、少なくとも２つの前記水平成分と３つの前記垂直成分とからなり、かつ前記垂直成分と前記水平成分とが交互に配列されている状態の場合、両端の前記垂直成分よりも中央の前記垂直成分の磁界の強度が強いとき、前記比較結果を、２つの前記水平成分に対応する電流が互いに逆方向の状態とする一方、両端の前記垂直成分よりも中央の前記垂直成分の磁界の強度が弱いとき、前記比較結果を、２つの前記水平成分に対応する電流が互いに同方向の状態とする構成とされている付記１、２、３又は４記載の近傍磁界測定装置。
【００５２】
（付記６）前記記憶手段は、前記検索用配列コードに対応した電流の前記パターンとして、当該電流の位置及び向きが記憶されている付記１、２、３、４又は５記載の近傍磁界測定装置。
【００５３】
（付記７）前記検索手段は、前記データベースを検索し、前記合成分布図中で電流の位置及び向きを特定する構成とされている付記６記載の近傍磁界測定装置。
【００５４】
（付記８）磁界分布図合成手段が、被測定物の所定の面に対して磁界検出手段により検出された近傍磁界の水平成分及び垂直成分の強度分布に基づいて、磁界強度の極大値が存在する部分を抽出し、合成して合成分布図を生成する磁界分布図合成処理と、配列コード抽出手段が、前記磁界分布図合成手段で生成された前記合成分布図を縦方向及び横方向に走査して、磁界の水平成分及び垂直成分の強度の前記極大値が存在する領域が配列されている状態を表す配列コードを抽出する配列コード抽出処理と、演算手段が、該配列コード抽出手段で抽出された前記配列コードのうちの特定の配列コードに対して、該配列コードの要素となる複数の垂直成分の磁界の強度を比較し、その比較結果を当該配列コードに追加して検索用配列コードを生成する演算処理と、記憶手段が、演算手段で生成される前記検索用配列コードに対応した電流のパターンをデータベースとして予め記憶する記憶処理と、検索手段が、前記演算手段で生成された前記検索用配列コードに基づいて前記データベースを検索し、前記合成分布図中の電流のパターンを特定する検索処理とを行う電流パターン特定方法。
【００５５】
（付記９）前記磁界分布図合成処理では、前記磁界分布図合成手段が、前記磁界強度の極大値から該極大値より低い所定のレベルまで抽出し、磁界の水平成分及び垂直成分の強度の前記極大値が存在する領域が重なり合わないように分離して合成して前記合成分布図を生成する付記８記載の電流パターン特定方法。
【００５６】
（付記１０）前記磁界分布図合成処理では、前記磁界分布図合成手段が、前記磁界強度の極大値から該極大値より３ｄＢ低いレベルまで抽出する付記８又は９記載の電流パターン特定方法。
【００５７】
（付記１１）前記配列コード抽出処理では、前記配列コード抽出手段が、前記合成分布図を縦方向及び横方向に走査して、磁界の水平成分及び垂直成分の強度の前記極大値が存在する領域が３箇所以上検知された場合に前記配列コードとして抽出する付記８、９又は１０記載の電流パターン特定方法。
【００５８】
（付記１２）前記演算処理では、前記配列コード抽出手段で抽出された前記配列コードが、少なくとも２つの前記水平成分と３つの前記垂直成分とからなり、かつ前記垂直成分と前記水平成分とが交互に配列されている状態の場合、前記演算手段が、両端の前記垂直成分よりも中央の前記垂直成分の磁界の強度が強いとき、前記比較結果を、２つの前記水平成分に対応する電流が互いに逆方向の状態とする一方、両端の前記垂直成分よりも中央の前記垂直成分の磁界の強度が弱いとき、前記比較結果を、２つの前記水平成分に対応する電流が互いに同方向の状態とする構成とされている付記８、９、１０又は１１記載の電流パターン特定方法。
【００５９】
（付記１３）前記記憶処理では、前記記憶手段が、前記検索用配列コードに対応した電流の前記パターンとして、当該電流の位置及び向きを記憶する付記８、９、１０、１１又は１２記載の電流パターン特定方法。
【００６０】
（付記１４）前記検索処理では、前記検索手段が、前記演算手段で生成された前記検索用配列コードに基づいて前記データベースを検索し、前記合成分布図中で電流の位置及び向きを特定する付記１３記載の電流パターン特定方法。
【００６１】
（付記１５）コンピュータを、付記１乃至７のいずれか一に記載の近傍磁界測定装置として機能させる電流パターン特定プログラム。
【産業上の利用可能性】
【００６２】
この発明は、電子機器や集積回路などのノイズ電流を特定する近傍磁界測定装置全般に適用できる。
【符号の説明】
【００６３】
１１      磁界分布図合成部（磁界分布図合成手段）
１２      配列コード抽出部（配列コード抽出手段）
１３      演算部（演算手段）
１４      検索部（検索手段）
２１      記憶装置（記憶手段）
【図１】
0005428947.tif 000002
【図２】
0005428947.tif 000003
【図３】
0005428947.tif 000004
【図４】
0005428947.tif 000005
【図５】
0005428947.tif 000006
【図６】
0005428947.tif 000007
【図７】
0005428947.tif 000008
【図８】
0005428947.tif 000009